(57)【要約】【課題】空間を節約し、材積が少なく、一般容器や小さい形状の容器にも適用できる容器を提供する。【解決手段】密封保存容器は、少なくともつまみ／モーターモジュール、外蓋、内蓋、容器、第一ガイド台及び第二ガイド台、抽気ピストン、ピストン台等部品を含んで構成し、つまみ／モーターモジュールが回転すると、接合した第一ガイド台と第二ガイド台に成形された複数のガイド柱と第一連続波形ガイドレールのナビゲーションによって、第二ガイド台が連接した抽気ピストンを連動し，ピストン台のピストン槽に相対して軸方向に上下往復運動し，ピストン台の抽気槽を通して容器内の空気を抽出し容器内に收納した食物もしくは物品の保存期限を延ばす。更に、弾性部品で抽気ピストンの軸向作動の力が平衡し、上レール台を設置、ナットカバー・クッションを設置した減圧バルブ桿を含み、容器内が真空状態に近づくと識別指標を形成する。【選択図】図１
2018002305.tif 000002
【特許請求の範囲】
【請求項１】
外蓋に回転連接し、第一ガイド台を接合するつまみと、
内蓋と接合固定し、他に連動制限ガイド槽を軸向きに複数設置し、且つ減圧槽を設置し、前記減圧槽は減圧バルブ桿に設置した漏止めワッシャーによって塞がれるか、もしくは外され，前記減圧バルブ桿と減圧槽の間には第二弾性部品を設置し、且つ前記減圧バルブ桿が下向きに押圧されると、前記漏止めワッシャーと減圧槽の間隙で減圧が進み、減圧バルブ桿を押圧するのを停止すると、前記第二弾性部品の弾性回復力によって減圧バルブ桿が上向きに上昇移動し、また前記漏止めワッシャーが前記減圧槽を塞ぎ、且つ前記減圧バルブ桿は上、下貫通した内通道を設置し、前記内通道の下端は前記減圧槽下方と連通し、前記減圧バルブ桿の上方はナットカバー・クッションを固定し、前記容器蓋を閉じた容器内が真空状態に近づくと、前記ナットカバー・クッションは内通道の吸力によって下向きに凹むため、前記ナットカバー・クッションが下向きに凹んだのを見て、識別指標となってユーザーの参考となり、且つ前記ナットカバー・クッションの本体上方中間には上凸部を備え、識別指標効果を高める外蓋と、
外蓋との間にガスケットを接合し、前記の接合した外蓋と共に容器を蓋閉じして密封効果を備え、且つ前記外蓋の減圧槽と共に貫通孔を対応設置する内蓋と、
開口を備え、前記内蓋及び接合した外蓋を蓋閉じする容器と、
第一ガイド台及び第二ガイド台の間にガイド柱及び第一連続波形ガイドレールをそれぞれ設置し、前記第一ガイド台を前記つまみに従って回転連動した時、前記第二ガイド台を相対して軸方向に連続上下往復運動させ，前記第二ガイド台は、抽気ピストンを接合する第一ガイド台及び第二ガイド台と、
複数の制限凸を設置し、前記の外蓋の複数の軸向き連動制限ガイド槽に従って上下運動し、ピストン台のピストン槽で軸方向に上下往復運動するのに用い、外環形槽を備え、そこに第一ゴムワッシャーを嵌合する抽気ピストンと、
前記外蓋と接合固定し、ピストン槽を備え、前記ピストン槽に前記の抽気ピストンを相対させ、軸向きに上下往復運動し、他に第二ゴムワッシャーを設置し、且つ下方には抽気槽を連通し、且つ前記抽気槽はチェックバルブを設置するピストン台を含む密封保存容器において、
それらによって、前記つまみが回転すると、接合した第一ガイド台と第二ガイド台に成形した複数のガイド柱と第一連続波形ガイドレールのナビゲーションによって、前記第二ガイド台が連接した抽気ピストンを連動し，前記ピストン台のピストン槽に相対して軸方向に上下往復運動し，ピストン台の抽気槽を通して容器内の空気を抽出することを特徴とする密封保存容器。
【請求項２】
前記減圧バルブ桿上方に設置したナットカバー・クッションの上凸部は、ナットカバー・クッション本体と異なる材質か、もしくはナットカバー・クッション本体と異なる色を備えてもよく、識別指標効果を高めることを特徴とする請求項１記載の密封保存容器。
【請求項３】
前記第二ガイド台は、上レール台を設置し、前記上レール台は第二ガイド台と共に前記抽気ピストンと接合固定し、且つ前記上レール台には第二連続波形ガイドレールを設置し、前記第二連続波形ガイドレールは前記第一ガイド台及び第二ガイド台に成形した複数のガイド柱と第一連続波形ガイドレールのナビゲーションによって、動作が更に安定してスムーズになり、また前記上レール台の第二連続波形ガイドレールは複数組の低点位置と複数組の高点位置を含み、そのうち低点位置は徐々に高くなって高点位置まで延び、次に高点位置から徐々に低くなって低点位置まで延び、第二連続波形ガイドレールを構成し、また前記第二ガイド台の第一連続波形ガイドレールは複数組の低点位置と複数組の高点位置を含み、そのうち低点位置は徐々に高くなって高点位置までの延び、次に高点位置から徐々に下がって低点位置まで延び、第一連続波形ガイドレールを構成することを特徴とする請求項１記載の密封保存容器。
【請求項４】
前記抽気ピストンとピストン台の間には、第一弾性部品を設置することを特徴とする請求項１記載の密封保存容器。
【請求項５】
前記第一ガイド台は、モーターモジュールを接合し、直接前記モーターモジュールによって伝動されて回転し、且つ前記モーターモジュールは電源供給モジュールに電気連接し、前記電源供給モジュールは他に開閉制御モジュールを電気連接してモーターモジュールの始動もしくは停止を制御することを特徴とする請求項１記載の密封保存容器。
【請求項６】
外蓋に回転連接し，第一ガイド台を接合するつまみと、
内蓋と接合固定し、他に連動制限ガイド槽を軸向きに復数設置する外蓋と、
外蓋との間にガスケットを接合し、接合した前記外蓋と共に容器に蓋閉じした時、密封効果を備える内蓋と、
開口を備え、前記内蓋及び接合した外蓋を蓋閉じする容器と、
前記第一ガイド台及び第二ガイド台の間にガイド柱及び第一連続波形ガイドレールをそれぞれ設置し、前記第一ガイド台を前記つまみの回転と共に回転させた時、前記第二ガイド台を軸向きに連続して上下往復運動させ、前記第二ガイド台は抽気ピストンを接合する第一ガイド台及び第二ガイド台と、
複数の制限凸を設置し、前記外蓋の複数の軸向き連動制限ガイド槽に従って上下運動し、前記抽気ピストンはピストン台のピストン槽で軸向きに上下往復運動するのに用い、前記抽気ピストンは外環形槽を備え、第一ゴムワッシャーを嵌合する抽気ピストンと、
前記外蓋と接合固定し、ピストン槽を備え前記抽気ピストンを前記ピストン槽に相対させて軸向きに上下往復運動させ、他に第二ゴムワッシャーを嵌合し、また下方は抽気槽に連通し、且つ前記抽気槽はチェックバルブを設置し、且つ更に減圧槽を設置し、内蓋には貫通孔を対応して穿設し、前記減圧槽は減圧バルブ桿に設置した漏止めワッシャーによって塞がれるか、もしくは外され、前記減圧バルブ桿と前記減圧槽の間には第二弾性部品を設置し、且つ前記減圧バルブ桿が下向きに押された時、前記漏止めワッシャーと減圧槽の間隙を通して減圧が進み、減圧バルブ桿を押すのを停止すると、前記第二弾性部品の弾性回復力によって減圧バルブ桿が上昇移動することとで、前記漏止めワッシャーが前記減圧槽を塞ぎ、且つ前記減圧バルブ桿は更に上、下貫通した内通道を設置し、前記内通道の下端は前記減圧槽下方と連通し、前記減圧バルブ桿の上方にはナットカバー・クッションを固定し、前記容器蓋を閉じた容器内が真空状態に近づいた時、前記ナットカバー・クッションは内通道が吸力で下向きに凹み、前記ナットカバー・クッションが下向きに凹むことで、識別指標としてユーザーの参考になり、且つ前記減圧バルブ桿の上方は前記つまみに設置した穿孔部位に位置するピストン台を含む密封保存容器において、
前記つまみを回転すると、接合した第一ガイド台と第二ガイド台に成形した複数のガイド柱と第一連続波形ガイドレールのナビゲーションによって、前記第二ガイド台が連接した抽気ピストンを連動して前記ピストン台のピストン槽に相対して軸向きに上下往復運動し、ピストン台の抽気槽から容器内の空気を抽出することを特徴とする密封保存容器。
【請求項７】
前記減圧バルブ桿の上方に設置したナットカバー・クッションの本体中間上方には更に上凸部を設置し、前記上凸部はナットカバー・クッション本体と異なる材質でもよく、もしくはナットカバー・クッション本体と異なる顏色を備えてもよく、識別指標効果を高めることを特徴とする請求項６記載の密封保存容器。
【請求項８】
前記第二ガイド台は、上レール台を設置し，前記上レール台は、第二ガイド台と共に前記抽気ピストンと接合固定し，且つ前記上レール台は第二連続波形ガイドレールを設置し，前記第二連続波形ガイドレールは前記第一ガイド台及び第二ガイド台に成形した複数のガイド柱と第一連続波形ガイドレールのナビゲーションによって、動作が更に安定してスムーズになり、また前記上レール台の第二連続波形ガイドレールは複数組の低点位置と複数組の高点位置を含み、そのうち低点位置は徐々に高くなって高点位置まで延び、更に高点位置から徐々に低くなって低点位置まで延び、第二連続波形ガイドレールを構成し、前記第二ガイド台の第一連続波形ガイドレールは複数組の低点位置と複数組の高点位置を含み、そのうち低点位置は徐々に高くなって高点位置まで延び、更に高点位置から徐々に低くなって低点位置まで延び、前記第一連続波形ガイドレールを構成することを特徴とする請求項６記載の密封保存容器。
【請求項９】
前記抽気ピストンとピストン台の間には更に第一弾性部品を設置することを特徴とする請求項６記載の密封保存容器。
【請求項１０】
前記第一ガイド台は、モーターモジュールを接合し、前記モーターモジュールによって直接伝動されて回転し、且つ前記モーターモジュールは電源供給モジュールを電気連接し、前記電源供給モジュールは他に開閉制御モジュールを電気連接してモーターモジュールの始動しくは停止を制御することを特徴とする請求項６記載の密封保存容器。
【発明の詳細な説明】
【技術分野】
【０００１】
本発明は、密封保存容器に関し、密封保存容器の関連技術領域に係る。
【背景技術】
【０００２】
従来の技術として「真空保存容器」（例として特許文献１参照）の容器筐体は、滑入と閉鎖、もしくは弾出と開放の引出しに提供する。該容器本体は、開閉制御構造を設置し、引出しを止めたり、もしくは引出しを弾出構造によって自動で弾出して開くのに用いる。該引出しは、該容器筐体内に滑入する箱体及び該箱体前側に接続する門蓋を含む。該門蓋は門蓋外面に回転部品を枢設し、該回転部品の軸心は内向きに門蓋に挿入し、門蓋以外に設置した少なくとも一バネを動かす。
更に該回転部品の軸心は、他に主動ギアを固定し、該主動ギアは横向きに配列設置したギア伝動ユニットを伝動する。該ギア伝動ユニットは偏心輪を伝動して該門蓋内部に設置した抽気筒の抽気連桿を偏心で動かす。該抽気連桿の内側は、抽気筒に設置した抽気ピストンと枢設し、該回転部品が動かしたギア伝動ユニットが横向きに配列する。
【先行技術文献】
【特許文献】
【０００３】
【特許文献１】台湾  実用新案第３２０４３８０号「真空保存容器」
【発明の概要】
【発明が解決しようとする課題】
【０００４】
解決しようとする問題点は、公知の「真空保存容器」は、仮に軸向きの缶形、筒形、瓶状等の容器に運用する場合、そこに占める横向空間は広くなければならない。
【０００５】
次に公知の機械式真空保存容器は、内部気体が外部に漏れた時、自動の空気充填を備えていない。また電子式負圧保存容器は、気体が外部に漏れた時、新たに抽気操作が必要であるため、相当に不便である。
【０００６】
更に、よく見かけるデカンタ容器内のワインは飲み終えないと、酸化しやすく、味にも影響を与え、悪くなってしまうこともあり、また一般容器内のドリンクは、飲み終えないでいると、倒してこぼしてしまうこともあり、非常に残念である。その他、たとえ、よく見かける密封容器に食材を入れても、容器は負圧状態ではないので、食材の新鮮さを維持する時間が非常に短い。
【０００７】
以上から、発明者は、部品が少なく、材積を節約する構造を提供する。一般もしくは比較的小さい各種容器に提要することを前提とし、継続的な研究により、密封保存容器を提供する必要がある。
【課題を解決するための手段】
【０００８】
密封保存容器は、少なくともつまみ／モーターモジュール、外蓋、内蓋、容器、第一ガイド台及び第二ガイド台、抽気ピストン、ピストン台等部品を含んで構成する。それらに拠って、つまみ／モーターモジュールが回転すると、接合した第一ガイド台と第二ガイド台に成形された複数のガイド柱と第一連続波形ガイドレールのナビゲーションによって、該第二ガイド台が連接した抽気ピストンを連動し，前記ピストン台のピストン槽に相対して軸方向に上下往復運動し，ピストン台の抽気槽を通して容器内の空気を抽出し容器内に收納した食物もしくは物品の保存期限を延ばす。更に第一弾性部品を設置することで該抽気ピストンの軸向作動の力が平衡する。また、更に上レール台を設置してもよい。また、ナットカバー・クッションを設置した減圧バルブ桿を含み、容器内が真空状態に近づくと、ナットカバー・クッションが下向きに凹むことで識別指標を形成し、ユーザーの参考に供することを最も主要な特徴とする。
【発明の効果】
【０００９】
本発明の密封保存容器は、構造が簡単で、空間を節約するだけでなく、且つ材積が更に縮小することから各種一般容器に適用するだけでなく、更に小さい形状の容器にも適用し、適用範囲が広がるという利点がある。
【図面の簡単な説明】
【００１０】
【図１】本発明実施例の立体組立断面拡大指示図である。
【図２】本発明実施例の立体分解拡大図である。
【図３】本発明実施例の立体組立拡大図である。
【図４】本発明実施例のガイド柱が連続波形ガイドレールの低点に位置する断面拡大指示図である。
【図５】本発明実施例のガイド柱が連続波形ガイドレールの高点に位置する組立断面拡大指示図である。
【図６】本発明実施例の減圧バルブ桿の関連部位を表示した組立断面拡大指示図である。
【図７】図６の真空状態の組立断面拡大指示図である。
【図８】図７の減圧バルブ桿が押圧された後の組立断面拡大指示図である。
【図９】本発明実施例の容器蓋の立体分解図である。
【図１０】本発明実施例の容器蓋の一部部品の立体分解拡大図である。
【図１１】本発明実施例の容器蓋の別角度の立体拡大図である。
【図１２】本発明実施例の容器で、デカンタ(瓶)に蓋閉じした容器の指示図である。
【図１３】本発明実施例で上レール台を含まない組立断面拡大指示図である。
【図１４】本発明実施例でバネを設置しない組立断面拡大指示図である。
【図１５】本発明実施例の減圧バルブ桿を異なる位置に設置し、且つ減圧バルブ桿上方はつまみ部位に位置する組立断面拡大指示図である。
【図１６】本発明第二実施例の組立断面拡大指示図である。
【図１７】本発明第二実施例のモーターモジュール、電源供給モジュールと開閉制御モジュールの構造指示図である。
【発明を実施するための形態】
【００１１】
つまみを回転した時、第一、二ガイド台に成形した複数のガイド柱と連続波形ガイドレールのナビゲーションによって、抽気ピストンを軸向きに上下往復運動して容器内の空気を抽出する構造であり、部品が簡単で、空間を節約するだけでなく、且つ材積が更に縮小することから、各種一般容器に適用し、更に小さい形状の容器にも適用し、適用範囲が広がる密封保存容器を提供することを本発明の主な目的とする。
【００１２】
容器内の空気を一定レベルを抽出することで、容器内に収納した食物、例としてワイン、フルーツジュース、ビスケット、果物、食材の新鮮度を延ばしたり、または容器内に收納した物品が湿気や酸化で悪くなるのを防止したりする密封保存容器を提供することを本発明の次の目的とする。
【００１３】
減圧バルブ桿を含み、該減圧バルブ桿にはナットカバー・クッションを設置し、容器内の空気が一定レベル抽出されると、該ナットカバー・クッションは内通道の吸力によって下向きに凹むため、該ナットカバー・クッションが下向きに凹んだのを見て、ユーザーの識別指標となる  密封保存容器を提供することを本発明の更に次の目的とする。
【実施例１】
【００１４】
図１〜図１１に示すとおり、本発明の実施例の密封保存容器は以下を含む。
【００１５】
つまみ１は、外蓋２に回転連接し，該つまみ１は複数の第一固定部品１１もしくはその他方式で第一ガイド台４に接合する。
【００１６】
外蓋２は、複数のほぞ(図未提示)及び複数の嵌合槽３３で内蓋３と接合して固定するか、もしくは、その他固定部品(図未提示)等その他方式で内蓋３と接合固定する。該外蓋２は、他に連動制限ガイド槽２２ (図８参照) を軸向きに複数設置する。
【００１７】
内蓋３は、該外蓋２との間にガスケット３０を接合し、該内蓋３を先に接合した外蓋２と共に容器１０(參考図２〜図５)に蓋閉じして密封効果を備える。
【００１８】
容器１０は、開口１０１を備え、該内蓋３及び接合した外蓋２に対応して蓋閉じする。
【００１９】
第一ガイド台４及び第二ガイド台５は、該第一ガイド台４及び第二ガイド台５の間にガイド柱４１及び第一連続波形ガイドレール５１をそれぞれ成形し、該第一ガイド台４が該つまみ１に従って回転連動した時、該第二ガイド台５を相対して軸方向に連続上下往復運動させ、該第二ガイド台５は他に複数の第三固定部品５３、もしくはその他方式で抽気ピストン６１を接合する。
【００２０】
抽気ピストン６１は、複数の制限凸６１３(図１０参照)を設置し、該外蓋２の複数で軸向きの連動制限ガイド槽２２に従って(図５参照)上下運動する。該抽気ピストン６１はピストン台６２のピストン槽６２１で軸方向に上下往復運動する。該抽気ピストン６１は外環形槽６１１を備え、そこに第一ゴムワッシャー６１２を嵌合する。
【００２１】
ピストン台６２は、複数の第二固定部品３１、もしくはその他接合方式で該外蓋２と接合固定する。該ピストン台６２はピストン槽６２１を備え、該ピストン槽６２１に該抽気ピストン６１を相対させ、軸向きに上下往復運動する。該ピストン台６２は他に第二ゴムワッシャー６５を嵌合設置し、且つ該ピストン台６２下方は抽気槽６２２(他図１、図４〜図５参照)に連通し、且つ該抽気槽６２２にはチェックバルブ６４を設置する。
【００２２】
つまみ１を回転すると、接合した第一ガイド台４と第二ガイド台５に成形された複数のガイド柱４１と第一連続波形ガイドレール５１のナビゲーションにより、該第二ガイド台５が連接した抽気ピストン６１を連動し、該ピストン台６２のピストン槽６２１に相対して軸方向に上下往復運動し(図４〜図５参照)、ピストン台６２の抽気槽６２２を通して容器１０内の空気を抽出し、容器１０を真空状態に近づける。更に容器１０内に收納した食物、例としてワイン、ドリンク、果物、ビスケット等各種食材の新鮮度を延ばし、拠って新鮮度を保ち、もしくは容器内に収納した物品が酸化して悪くなるのを防止する。
【００２３】
更に実施例は、第一弾性部品６３を更に設置しても良い。該第一弾性部品６３は、該抽気ピストン６１とピストン台６２のピストン槽６２１の間(図４〜図５参照)に設置する。それにより該抽気ピストン６１の軸向き動作の力が平衡し、抽気動作時の重力に相対し、回復動作時の力が軽くなり、該つまみ１を回転する時、スムーズな動作となる。
【００２４】
その他、該第二ガイド台５は、上レール台５０を組み立ててもよい。該上レール台５０は、該複数の第三固定部品５３もしくはその他接合方式で第二ガイド台５を伴い、該抽気ピストン６１と接合固定する。該上レール台５０は、第二連続波形ガイドレール５０１を設置し、且つ該上レール台５０の第二連続波形ガイドレール５０１は該第一ガイド台４及び第二ガイド台５に複数のガイド柱４１と第一連続波形ガイドレール５１を設置することによって動作が更に安定してスムーズになる。
【００２５】
また、図１０に示すとおり、該第二ガイド台５の第一連続波形ガイドレール５１は、複数組の低点位置５１１と複数組の高点位置５１２を含む。そのうち低点位置５１１は、徐々に高くなって高点位置５１２まで延び、次に高点位置５１２から徐々に低くなって低点位置５１１まで延び、該第一連続波形ガイドレール５１を構成する。
【００２６】
その他、図２に示すとおり、該上レール台５０の第二連続波形ガイドレール５０１は、複数組の低点位置５０１１と複数組の高点位置５０１２を含む。そのうち低点位置５０１１は徐々に高くなって高点位置５０１２まで延び、次に高点位置５０１２から徐々に低くなって低点位置５０１１まで延び、該第二連続波形ガイドレール５０１を構成する。
【００２７】
更に、図６〜図８に示すとおり、該外蓋２は、減圧槽２１(図６参照)を設置してもよく、且つ内蓋３も対応して貫通孔３２(図６参照)を穿設する。該外蓋２の減圧槽２１は、減圧バルブ桿７に設置した漏止めワッシャー７１によって塞がれるか(図６〜図７参照)、もしくは外され(図８参照)、該減圧バルブ桿７と該外蓋２の減圧槽２１の間には第二弾性部品７０を設置し、該容器蓋を蓋した容器１０が真空状態に近づき、減圧バルブ桿７(図７参照)を支持することで該漏止めワッシャー７１が外蓋２の減圧槽２１を塞ぎ続ける。
更に該減圧バルブ桿７が下向きに押圧されると(図８参照)、該漏止めワッシャー７１と外蓋２の減圧槽２１の間隙に減圧が進み、更に減圧バルブ桿７を押すのを止めると、該第二弾性部品７０の弾性回復力によって減圧バルブ桿７が上昇移動し(図６参照)、該漏止めワッシャー７１が該減圧槽２１を塞ぐ。更に該減圧バルブ桿７は上、下貫通した内通道７３(図６参照)を設置し、該内通道７３の下端は該外蓋２の減圧槽２１下方と連通し、該減圧バルブ桿７の上方はナットカバー・クッション７４を固定する(図６参照)。
該容器蓋を蓋した容器１０が真空状態に近づくと、該ナットカバー・クッション７４は内通道７３の吸力で下向きに凹み(図７参照)、該ナットカバー・クッション７４の下向きに凹んだことが明らかに目で見てわかり、それが識別指標となってユーザーの参考となる。更に該ナットカバー・クッション７４の本体上方中間には上凸部７４１を備える。更に該上凸部７４１はナットカバー・クッション７４本体と異なる材質でもよく、もしくはナットカバー・クッション７４本体と異なる色を備えてもよく、更に識別指標効果を向上させる。
【００２８】
その他、図６、図９に示すとおり、該外蓋２に設置した減圧槽２１と該ピストン台６２の抽気槽６２２は、更に防塵蓋８１、８２と防塵フィルター８３、８４をそれぞれ対応して設置してもよく、容器１０内の粉状内容物が密封有効期間に影響したり、使用寿命に影響したりするのを防止する。且つ各防塵蓋８１、８２と防塵フィルター８３、８４は、取り外して洗浄もしくは備品を交換する。
【００２９】
また、図１３ に示すとおり、第一実施例は上レール台５０を省いても同じ目的と効果を達成する。
【００３０】
その他、図１４ に示すとおり、第一実施例は第一弾性部品６３を省いても、同じ目的と効果を達成する。
【００３１】
更に図１５に示すのは、減圧バルブ桿７が異なる位置に設置を変え、且つ減圧バルブ桿７上方がつまみ１に対応設置する穿孔１２部位に位置する組立断面指示図である。そのうち該ピストン台６２は、減圧槽６２０の設置を選択でき、該ピストン台６２の減圧槽６２０は、減圧バルブ桿７に設置した漏止めワッシャー７１によって塞がれるか、もしくは外される。該減圧バルブ桿７と該ピストン台６２の減圧槽６２０の間には第二弾性部品７０を設置し、該容器蓋を蓋した容器１０が真空状態に近づいた時、減圧バルブ桿７を支持して該漏止めワッシャー７１がピストン台６２の減圧槽６２０を塞ぎ続けるのに用いる。
更に該減圧バルブ桿７が下向きに押されると、該漏止めワッシャー７１とピストン台６２の減圧槽６２０間で減圧が進む。また減圧バルブ桿７を押すのを止めると、該第二弾性部品７０の弾性回復力によって減圧バルブ桿７が上昇移動し、該漏止めワッシャー７１が該減圧槽６２０を塞ぐ。更に該減圧バルブ桿７は上、下貫通した内通道７３を設置し、該内通道７３の下端は、該ピストン台６２の減圧槽６２０下方と連通する。更に該減圧バルブ桿７の上方は、ナットカバー・クッション７４を固定し、該容器蓋を蓋した容器１０が真空状態に近づくと、該ナットカバー・クッション７４は、内通道７３吸力で下向きに凹み，該ナットカバー・クッション７４が下向きに凹むのが見えると、識別指標となってユーザーの参考となる。
更に該ナットカバー・クッション７４の本体上方中間には更に上凸部７４１を備え、該上凸部７４１はナットカバー・クッション７４本体と異なる材質でもよく、もしくはナットカバー・クッション７４本体と異なる色を備えてもよく、更に識別指標効果の向上を達成する。
【実施例２】
【００３２】
図１６から図１７ に示すのは、本発明の第二実施例であり、主な技術内容は第一実施例と同じである。異なる点として、第二実施例のつまみ１は、モーターモジュール１’である。該モーターモジュール１’は、複数の第一固定部品(本実施例図未提示)もしくはその他接合方式で第一ガイド台４を接合する。それにより、モーターモジュール１’が第一ガイド台４を回転させると、接合した第一ガイド台４と第二ガイド台５に成形した複数のガイド柱４１と第一連続波形ガイドレール５１のナビゲーションによって、該第二ガイド台５が接合した抽気ピストン６１を伴い、該ピストン台６２のピストン槽６２１に相対して軸方向に上下往復運動し、ピストン台６２の抽気槽６２２を通して容器１０内の空気を抽出し，容器１０を真空状態に近づける。
【００３３】
更に図１７に示すとおり，第二実施例のモーターモジュール１’は、更に電源供給モジュール１２(例として電池組)を電気連接する。該電源供給モジュール１２は、開閉制御モジュール１３を電気連接してモーターモジュール１’の開始もしくは停止を制御する。
【００３４】
第二実施例の主な特徴と技術内容は第一実施例と同じであり、異なる点は、本第二実施例のモーターモジュール１’が第一実施例のつまみ１から変更しただけである。故に、その他は第一実施例の内容と同じであるため、再説しない。
【００３５】
上述のとおり、本発明は以下の効果を備える。
【００３６】
つまみ１もしくはモーターモジュール１’が回転する時、第一、二ガイド台４、５間の複数のガイド柱４１と第一連続波形ガイドレール５１のナビゲーションによって、抽気ピストン６１を動かし軸方向に上下往復運動し、容器１０内の空気を抽出する構造である。部品が簡単で、空間を節約するだけでなく、且つ材積が更に縮小することから、各種一般容器１０に適用し、更に小さい形状の容器にも適用し、適用範囲が広がる。
【産業上の利用可能性】
【００３７】
該容器蓋は、各種形状に対応する容器に密封して蓋閉じる。例として、各種
形状の保存缶、保存箱、保存瓶、デカンタ(瓶)等各式容器とする。図１２に示すのは本発明の密封蓋をデカンタ(瓶)１０’に蓋した指示図である。
【００３８】
容器１０が真空状態に近づくと、容器１０内に収納した食物、例としてワイン、フルーツジュース、ビスケット、果物、食材の新鮮度を延ばす、もしくは
容器内に収納した物品が湿気や酸化によって壊れるのを防止する用途にも適用できる。
【００３９】
容器１０内が真空状態に近づいた時、減圧バルブ桿７のナットカバー・クッション７４が下向きに凹むのが見え、識別指標となってユーザーの参考となる。更に該ナットカバー・クッション７４の本体上方中間には更に上凸部７４１を備えてもよく、該上凸部７４１はナットカバー・クッション７４本体と異なる材質でもよく、もしくはナットカバー・クッション７４本体と異なる色を備えてもよく、更に識別指標効果が向上する。
【符号の説明】
【００４０】
１        つまみ
１０        容器
１０’      デカンタ(瓶)
１０１        開口
１１        第一固定部品
１２        穿孔
２        外蓋
２１        減圧槽
２２        連動制限ガイド槽
３        内蓋
３０        ガスケット
３１        第二固定部品
３２        貫通孔
３３        嵌合槽
４        第一ガイド台
４１        ガイド柱
５        第二ガイド台
５０        上レール台
５０１        第二連続波形ガイドレール
５０１１        低点位置
５０１２        高点位置
５１        第一連続波形ガイドレール
５１１        低点位置
５１２        高点位置
５３        第三固定部品
６１        抽気ピストン
６１１        外環形槽
６１２        第一ゴムワッシャー
６１３        制限凸
６２        ピストン台
６２０        減圧槽
６２１        ピストン槽
６２２        抽気槽
６３        第一弾性部品
６４        チェックバルブ
６５        第二ゴムワッシャー
７        減圧バルブ桿
７０        第二弾性部品
７１        漏止めワッシャー
７３        内通道
７４        ナットカバー・クッション
７４１        上凸部
８１        防塵蓋
８２        防塵蓋
８３        防塵フィルター
８４        防塵フィルター
【図１】
2018002305.tif 000003
【図２】
2018002305.tif 000004
【図３】
2018002305.tif 000005
【図４】
2018002305.tif 000006
【図５】
2018002305.tif 000007
【図６】
2018002305.tif 000008
【図７】
2018002305.tif 000009
【図８】
2018002305.tif 000010
【図９】
2018002305.tif 000011
【図１０】
2018002305.tif 000012
【図１１】
2018002305.tif 000013
【図１２】
2018002305.tif 000014
【図１３】
2018002305.tif 000015
【図１４】
2018002305.tif 000016
【図１５】
2018002305.tif 000017
【図１６】
2018002305.tif 000018
【図１７】
2018002305.tif 000019